(57)【要約】      （修正有）【課題】植物の繊維を撚成し草糸を設け、該草糸を縦・緯共使用して斜文織で編成するもので、縦・緯共草糸を使用することにより、縦・緯の違いが無い一枚の布の様に編成出来、それにより、寸法や形状を自由に設ける事が出来るもので、更に、曲げたり、貼着したりする等、加工も容易に出来る住宅建築用内装材を提供する。【解決手段】かん皮草及び馬蘭草等の多年草又は、常緑多年草等の植物を、繊維方向に２ｍｍ〜４ｍｍ幅に裂いて繊維状とし、該繊維を略径１．５ｍｍ〜２ｍｍの大きさに、繊維の端部を重ねて撚成し草糸を設け、該草糸を縦・緯共使用して斜文織で織られたものである。【選択図】図３
0003110590.tif 000002
【実用新案登録請求の範囲】
【請求項１】
床材や壁材等の住宅建築用内装材において、多年草又は、常緑多年草等の植物の繊維を撚成し草糸を設け、該草糸を編成し、表面材として使用したことを特徴とする内装材。
【請求項２】
前記草糸は、かん皮草及び馬蘭草等の多年草又は、常緑多年草等の植物を、繊維方向に２ｍｍ〜４ｍｍ幅に裂いて繊維状とし、該繊維を略径１．５ｍｍ〜２ｍｍの大きさに、撚成したことを特徴とする請求項１記載の内装材。
【請求項３】
前記草糸を斜文織及び平織に編成し、表面材としたことを特徴とする請求項１及び２記載の内装材。
【請求項４】
前記編成した表面材を畳等の表材及び壁に貼着するクロスとして、更に、平行四辺形以外の変形畳の表材に、使用したことを特徴とする請求項１〜３記載の内装材。
【考案の詳細な説明】
【技術分野】
【０００１】  本考案は、多年草又は、常緑多年草等の植物の繊維を撚成し草糸を設け、該草糸を編成した、床材や壁材等の住宅建築用内装材に関するものである。
【背景技術】
【０００２】  従来、住宅建築用内装材としては、床材では、畳、フローリング（板張）、壁材では、化粧ボード、クロス（壁紙）等があった。
上記畳は、藁やウレタン等を使用した芯材に、イ草を織成した表材を縫付けた物で、日本では古くから床材として使用されていた、この表材に使用されるイ草は、冬に田植えをして夏に刈り取る多年生の植物で、収穫後すぐに染色、乾燥しそのまま織機で織成する物である。【０００３】  畳の構造については、寸法が長さ１７６ｃｍ〜１９１ｃｍ、幅が８８ｃｍ〜９５．５ｃｍで、イ草で作られている表材と稲わらなどで作られている芯材と縁材とで構成されている。
又、近年の住宅建築では、生活様式の洋風化に伴い、畳を使わないフローリング（板張）の部屋が多く成っており、このフローリング（板敷）の一部に置くための、置き畳等も使われている。【０００４】  又、従来壁材としては、布、紙、ポリ塩化ビニール等の材料から加工されており、その９５％以上は、ビニールクロスと呼ばれる、ポリ塩化ビニールを主原料にしたもので、基本的には、ポリ塩化ビニールに充填剤・可塑剤・安定剤・防燃薬剤・着色剤等を加えて作ったビニールシートに紙などで裏打ちをして型押し、プリント加工を行った物である。【０００５】  又、本考案の主な原材料である、かん皮草は、中国原産の多年草で、江戸時代にはすでに庭で栽培され、茶花に利用されていた。
草丈は４０ｃｍ〜６０ｃｍで、全体に毛はなく、地ぎわから数本の茎を出して直立し、節は太く、葉は対生し、柄がなく、楕円形で、先がとがっているものである。
馬蘭草は、中国中南部原産のオモトやスズランに比較的近いユリ科の植物で、日本に古くから入り、庭園などで観葉植物として栽培されてきたもので、現在は切り花用の葉物として利用されるほか、寿司や料理の盛りつけの仕切りなどに使われており、常緑で、根茎が地中を横にはい、その節から長い葉柄を出し、単葉をつける。
葉は、楕円状披針形で先がとがり、濃緑色で、葉柄を含めて長さ４０ｃｍ〜６５ｃｍ、で光沢があるものである。
【考案の開示】
【考案が解決しようとする課題】
【０００６】  しかしながら、イ草を使用した表材は、草丈によってその寸法が決って来るもので、それは、表材を織る時に、縦方向は麻でできた縦糸のみで、横方向にのみ長い一本のイ草を全幅に引き通し、継ぎ目がないように表裏一様に織られる物で、横幅はイ草の丈により、その最大幅が決ってくる物である。
そのため、従来の日本家屋は、畳一枚の大きさを基本とし畳の数が１つの尺度になって、その部屋の広さが決まっていた。
しかし、近年、生活様式の多様化に伴い、部屋の広さや形状にも多様性が求められるようになり、そのため、部屋の広さや形状に制限が有る和室より、広さや形状が自由に出来るフローリング（板張）の方が多く用いられるようになった。
しかしながら、最近、高齢化社会の到来や健康志向の高まりで、従来の畳の持つ暖かさや風合いなどが見直されるようになった。
そのため、フローリング（板敷）の一部に置くための、置き畳等が用いられる様になったが、従来のイ草を使用した表材では、この置き畳の寸法も制限され、広さや形状を自由に出来ず、デザイン的に制限されていた。
又、イ草を使用した表材は、イ草に対して垂直方向に曲げる事が困難であった、そのため、芯材に貼着する場合は、表材を芯材の縁の部分に縫い付ける時イ草に対して水平方向になる辺では、芯材に巻きつけて縫い付ける事が出来るが、イ草に対して垂直方向になる辺では、縁材を使用して芯材に縫い付けており、該縁材により、置き畳のデザインや形状が制約を受ける物であった。
更に、寸法が制限されることで、外の用途での使用も制限されていた。
本考案は、この様な問題を解決するために成されたものであり、植物の繊維を撚成し草糸を設け、該草糸を編成した、表面材を提供する。
【課題を解決するための手段】
【０００７】  上記課題を解決するため、本考案の表面材は、多年草又は、常緑多年草等の植物の繊維を撚成し草糸を設け、該草糸を編成したものである。【０００８】  前記草糸は、かん皮草及び馬蘭草等の多年草又は、常緑多年草等の植物を、繊維方向に２ｍｍ〜４ｍｍ幅に裂いて繊維状とし、該繊維を略径１．５ｍｍ〜２ｍｍの大きさに、撚成するもので、繊維の端部を重ねて撚成することにより、草糸の長さを長くする事が出来、また、撚りをかける事により、草糸に柔軟性を持たせるもので、それにより、容易に曲げる等の加工を可能としたものである。【０００９】  前記草糸を縦・緯共使用して斜文織及び平織で編成するもので、縦・緯共草糸を使用することにより、縦・緯の違いが無い一枚の布の様に編成する事が出来る物である。
上記斜文織で織ることで、地を密に、厚く出来、柔軟でシワがよりにくく仕上げた物である。
又、平織で織ることで、地は薄いが、堅くて摩擦に強い物である。【００１０】  前記の様に、一枚の布のように編成する事で、畳の表材だけでなく、壁に貼着するクロスとして、更に、平行四辺形以外の変形畳の表材にも使用出来る物である。
【考案の効果】
【００１１】  本考案は、上述のとおり構成されているもので、次に記載する効果を奏する。【００１２】  繊維の端部を重ねて撚成することにより、草糸の長さを長くする事を可能にすることで、広い一枚の表面材を設けることが出来る。【００１３】  縦・緯共草糸を使用することにより、縦・緯の違いが無い一枚の布の様に編成することにより、寸法や形状を自由に設ける事が出来、更に、曲げたり、貼着したりする等、加工も容易にした。【００１４】  撚りをかける事により、草糸に柔軟性を持たせるもので、それにより、容易に、曲げたり、貼着したり出来ることで、縁材を必要とせず、一体感のある自由なデザインを可能とした。【００１５】  素材の性質上、重量が軽く強度が有り、変色しにくい、また、足さわりも良い。
【考案を実施するための最良の形態】
【００１６】  かん皮草及び馬蘭草等の多年草又は、常緑多年草等の植物を、繊維方向に２ｍｍ〜４ｍｍ幅に裂いて繊維状とし、該繊維を略径１．５ｍｍ〜２ｍｍの大きさに、繊維の端部を重ねて撚成し草糸を設け、該草糸を縦・緯共使用して斜文織で織られたものである。
【実施例】
【００１７】  考案の実施の形態について図面を参照して説明する。
本考案は図１に示す様に、かん皮草及び馬蘭草等の多年草又は、常緑多年草等の植物（１）を、繊維方向に２ｍｍ〜４ｍｍ幅に裂いて繊維状とし、該繊維（２）を略径１．５ｍｍ〜２ｍｍの大きさに、撚成し草糸（３）を設ける。
図２に示す様に、上記繊維（２）の端部を重ねて撚成することにより、草糸（３）の長さを長くする事が出来、また、撚りをかける事により、草糸に柔軟性を持たせるもので、それにより、容易に曲げる等の加工を可能としたものである。【００１８】  次に、前記草糸（３）を縦・緯共使用して斜文織で編成し表面材（４）を設ける。
縦・緯共草糸を使用することにより、縦・緯の違いが無い一枚の布の様に編成する事が出来る。
上記編成した物を斜文織で織ることで、地を密に、厚く出来、柔軟でシワがよりにくく仕上げる。
又、平織で織ることで、地は薄いが、堅くて摩擦に強く仕上げる。【００１９】  前記、編成した表材を使用する場合、図３に示す様に、芯材（５）の表面に不織布等の内貼材（６）を貼着し、その上から表面材（４）を貼着するもので、この時、表面材（４）を一枚の布のように編成する事で、芯材（５）の縁を全辺とも包む様に貼着する事が出来、また畳の表材だけでなく、壁に貼着するクロスとしても使用出来る物である。
【産業上の利用可能性】
【００２０】  本考案の表面材は、上記用途にのみ使用する物では無く、椅子等の貼り材、照明器具の笠やカバー、すだれ等の遮光材の代わり、寝茣蓙の表材、等に使用する事が出来るものである。
【図面の簡単な説明】
【００２１】
【図１】本考案の状態を示す参考図
【図２】本考案の状態を示す参考図
【図３】本考案の状態を示す部分切り掛け図
【図４】本考案の実施状態を示す参考図
【符号の説明】
【００２１】１    植物
２    繊維
３    草糸
４    表面材
５    芯材
６    内貼材
【図１】
0003110590.tif 000003
【図２】
0003110590.tif 000004
【図３】
0003110590.tif 000005
【図４】
0003110590.tif 000006